(57)【特許請求の範囲】
【請求項１】
対象となる書籍の表表紙、背表紙及び裏表紙を外面から覆う矩形状の覆い部と、前記覆い部の一面の両側部に、表表紙挿入用の袋部と、裏表紙挿入用の袋部とを備え、前記覆い部、前記表表紙挿入用の袋部及び前記裏表紙挿入用の袋部は、上下方向及び左右方向にそれぞれ伸縮性を有するシートで構成され、
前記表表紙挿入用の袋部及び前記裏表紙挿入用の袋部は、前記覆い部の中央に向く縁が各々開放され、前記表表紙の開き部と前記裏表紙の開き部とがそれぞれ挿入可能であり、
前記覆い部の両側部の四隅に相当する部分の前記表表紙挿入用の袋部の内側並びに前記裏表紙挿入用の袋部の内側との四隅に、前記表表紙の開き部の上下の角部分と、前記裏表紙の開き部の上下の角部分とをそれぞれ内部に挟み入れて保持するコーナ部材が配設されている、
ことを特徴とするフリーサイズブックカバー。
【請求項２】
前記表表紙挿入用の袋部の外面或いは前記裏表紙挿入用の袋部の外面に上方に開口したポケットが設けられたことを特徴とする請求項１に記載のフリーサイズブックカバー。
【発明の詳細な説明】
【技術分野】
【０００１】
本発明は、本の保護や美観を保つために用いられるフリーサイズブックカバーに関する。
【背景技術】
【０００２】
従来、提案されているブックカバーとしては、非伸縮性可撓シートでなり、書籍への装着時に該書籍の背部分を覆う部分に高分子が含浸又はコーティングされて複数の折り目が上下方向に互いに平行に設けられており、且つそれらの折り目が折曲ないし折り畳み状態で予め加硫処理されていることにより伸縮部とされているブックカバーが公知である（特許文献１）。
【０００３】
不織布の一面にポリオレフィン樹脂からなる目止め層が、また、該不織布のほかの一面には粘着層が設けられた基材シートからなるブックカバーが公知である（特許文献２）。基材シートには、対象となる本の表表紙とほぼ等しい形状、大きさの表部、背表紙の大きさとほぼ等しい大きさの背部、裏表紙の大きさとほぼ等しい大きさの裏部とが一体になされ、表部の３つの周縁に表表紙の３辺を挟み込むことのできる折り返し片が形成され、同様に、裏部の３つの周縁に裏表紙の３辺を挟み込むことのできる折り返し片が形成され、表部の折り返し片と裏部の折り返し片との間には背表紙を挟み込むことができる折り返し片が形成されているものである。
【０００４】
【特許文献１】特公平６−２２９３１号公報
【特許文献２】特開平６−９２０６３号公報
【発明の開示】
【発明が解決しようとする課題】
【０００５】
上記特許文献１に記載のブックカバーは、非伸縮性及び可撓性を有する不織布によって構成されており、本の厚さに対して伸縮性を持たせるために、書籍の背部分を覆う部分に上下方向に互いに平行に複数の折り目を形成しなければならない。また、折り目には、高分子が含浸又はコーティングされて加硫処理しなければならないので、製造に工数がかかる。また、本の上下方向に伸張性を有していないので、種々の大きさの本には対応不向きなものである。
【０００６】
上記特許文献２に記載のブックカバーは、本の表示に合わせて張りつける作業が面倒であり、しかも一度貼り付けたブックカバーを剥がしたり、別の本に再度ブックカバーとして使用するものではない。
【０００７】
そこで、本発明は、上述の従来技術の不具合を解消することを課題とするものであり、製造のための工数が少なく、種々の大きさの本に対応して装着することができるようなフリーサイズブックカバーを提供することにある。
【課題を解決するための手段】
【０００８】
請求項１に係るフリーサイズブックカバーは、上記課題を解決するために、対象となる書籍の表表紙、背表紙及び裏表紙を外面から覆う矩形状の覆い部と、前記覆い部の一面の両側部に、表表紙挿入用の袋部と、裏表紙挿入用の袋部とを備え、前記覆い部、前記表表紙挿入用の袋部及び前記裏表紙挿入用の袋部は、上下方向及び左右方向にそれぞれ伸縮性を有するシートで構成され、前記表表紙挿入用の袋部及び前記裏表紙挿入用の袋部は、前記覆い部の中央に向く縁が各々開放され、前記表表紙の開き部と前記裏表紙の開き部とがそれぞれ挿入可能であり、前記覆い部の両側部の四隅に相当する部分の前記表表紙挿入用の袋部の内側並びに前記裏表紙挿入用の袋部の内側との四隅に、前記表表紙の開き部の上下の角部分と、前記裏表紙の開き部の上下の角部分とをそれぞれ内部に挟み入れて保持するコーナ部材が配設されていることを特徴とする。
【０００９】
請求項２に係るフリーサイズブックカバーは、請求項１に係るフリーサイズブックカバーにおいて、前記表表紙挿入用の袋部の外面或いは前記裏表紙挿入用の袋部の外面に上方に開口したポケットが設けられたことを特徴とするものである。
【発明の効果】
【００１０】
請求項１に係るフリーサイズブックカバーによれば、書籍の表表紙の開き部を表表紙挿入用の袋部に挿入し、表表紙の開き部の上下の角部分を各コーナ部材にそれぞれ挟み入れ、裏表紙の開き部を裏表紙挿入用の袋部に挿入し、裏表紙の開き部の上下の角部分を各コーナ部材にそれぞれ挟み入れて保持させる。このため、手間がかからず、簡単にブックカバーを書籍に装着することができる。覆い部、表表紙挿入用の袋部及び裏表紙挿入用の袋部は、上下方向及び左右方向にそれぞれ伸縮性を有するシートで構成されているので、種々の大きさ（表紙の大きさや厚み）の書籍に対応して装着することができる。また、ブックカバーを取り外し、別の本に再度ブックカバーとして装着して使用することができる。
【００１１】
請求項２に係るフリーサイズブックカバーによれば、表表紙挿入用の袋部の外面或いは裏表紙挿入用の袋部の外面に上方に開口したポケットが設けられているので、必要に応じて、メモ書き用紙や筆記具入れとして使用したり、各種のポイントカードや切符入れとして使用することができる。
【発明を実施するための最良の形態】
【００１２】
以下、本発明の実施の形態に係るフリーサイズブックカバーを図面を参照して説明する。図１は本発明の実施形態に係るフリーサイズブックカバーの正面図であり、図３は本発明の実施形態に係るフリーサイズブックカバーを書籍に装着した状態を示した斜視図である。フリーサイズブックカバー１は、対象となる書籍の表表紙１０、背表紙１１及び裏表紙１２を外面から覆う矩形状の覆い部２と、覆い部２の一面の両側部に、表表紙挿入用の袋部３と、裏表紙挿入用の袋部４とを備え、覆い部２、表表紙挿入用の袋部３及び裏表紙挿入用の袋部４は、上下方向及び左右方向にそれぞれ伸縮性を有するシート（本実施形態では伸縮性を有する布）で構成されている。
【００１３】
本実施形態では、伸縮性を有する横長の布体の両側部分を適宜箇所で上下方向を折り返し線としてそれぞれ覆い部２の一面に折り返し、折り返し部分の上縁部分並びに下縁部分を覆い部２に対して縫着することにより、表表紙挿入用の袋部３及び裏表紙挿入用の袋部４が形成されている。従って、表表紙挿入用の袋部３及び裏表紙挿入用の袋部４は、覆い部２の中央に向く縁が各々開放されて挿入口３ａ，４ａにそれぞれ形成され、表表紙１０の開き部１０ａと裏表紙１２の開き部１２ａとがそれぞれ挿入可能である。
【００１４】
覆い部２の両側部の四隅に相当する部分の表表紙挿入用の袋部３の内側並びに裏表紙挿入用の袋部４の内側との四隅には、表表紙１０の開き部１０ａの上下の角部分と、裏表紙１２の開き部１２ａの上下の角部分とをそれぞれ内部に挟み入れて保持するコーナ部材５が配設されている。コーナ部材５は、表表紙１０の開き部１０ａの上下の角部分及び裏表紙１２の開き部１２ａの上下の角部分を保護できる程度の硬さの素材、例えば、合成樹脂、金属、硬質紙等で構成される。各コーナ部材５は、図２に示すように、略１／４円形状をなし、径縁部分５ａ，５ａが外部に対して封止されると共に周縁部分５ｂが外部に対して開口され、内側が本の角部を挟持可能な程度の厚みの中空部５ｃとなっている。各コーナ部材５は、径縁部分５ａが表表紙挿入用の袋部３の隅部と裏表紙挿入用の袋部４の隅部に沿って配置されている。
【００１５】
その他、実施形態のフリーサイズブックカバー１は、表表紙挿入用の袋部３の外面或いは裏表紙挿入用の袋部４の外面に上方に開口したポケット６（メモ書き用紙や筆記具入れとして使用）が設けられ、表表紙挿入用の袋部３の外面或いは裏表紙挿入用の袋部４の外面に上方に開口したカード入れや切符入れ用（各種のポイントカードや名刺サイズより若干大きい程度の大きさ）のポケット７が設けられている。
【００１６】
書籍の表表紙１０の開き部１０ａを表表紙挿入用の袋部３に挿入し、表表紙１０の開き部１０ａの上下の角部分を各コーナ部材５，５にそれぞれ挟み入れ、裏表紙１２の開き部１２ａを裏表紙挿入用の袋部４に挿入し、裏表紙１２の開き部１２ａの上下の角部分を各コーナ部材５，５にそれぞれ挟み入れて保持させる。覆い部２、表表紙挿入用の袋部３及び裏表紙挿入用の袋部４は、上下方向及び左右方向にそれぞれ伸縮性を有する布で構成されているので、製造のための工数が少なく、種々の大きさの本に対応して装着することができる。また、フリーサイズブックカバー１を取り外し、別の本に再度ブックカバーとして装着して使用することができる。なお、本発明のフリーサイズブックカバーを大小２種類用意すれば、より一層種々の大きさの本に対応して装着することができる。
【図面の簡単な説明】
【００１７】
【図１】本発明の実施形態に係るフリーサイズブックカバーの平面図である。
【図２】コーナ部材の平面図である。
【図３】本発明の実施形態に係るフリーサイズブックカバーを書籍に装着した状態を示した斜視図である。
【符号の説明】
【００１８】
１  フリーサイズブックカバー
２  覆い部
３  表表紙挿入用の袋部
３ａ  挿入口
４  裏表紙挿入用の袋部
４ａ  挿入口
５  コーナ部材
５ａ  径縁部分
５ｂ  周縁部分
５ｃ  中空部
６  ポケット
７  ポケット
１０  表表紙
１０ａ  開き部
１１  背表紙
１２  裏表紙
１２ａ  開き部
【要約】
【課題】製造のための工数が少なく、種々の大きさの本に対応して装着することができるようなフリーサイズブックカバーを提供する。
【解決手段】書籍の表表紙、背表紙及び裏表紙を外面から覆う矩形状の覆い部２と、覆い部２の一面の両側部に、表表紙挿入用の袋部３と、裏表紙挿入用の袋部４とを備え、覆い部２、表表紙挿入用の袋部３及び裏表紙挿入用の袋部４は、上下方向及び左右方向にそれぞれ伸縮性を有するシートで構成される。表表紙挿入用の袋部３及び裏表紙挿入用の袋部４は、覆い部２の中央に向く縁が各々開放され、表表紙の開き部と前記裏表紙の開き部とがそれぞれ挿入可能であり、覆い部２の両側部の四隅に相当する部分の各袋部３，４の内側の四隅に、表表紙の開き部の上下の角部分と、裏表紙の開き部の上下の角部分とをそれぞれ内部に挟み入れて保持するコーナ部材５が配設されている。
【選択図】図１【図１】
0004081134.tif 000002
【図２】
0004081134.tif 000003
【図３】
0004081134.tif 000004